(57)【要約】【課題】インターネット上のホームページなどのデータベースから検索した複数のファイルを印刷や表示する場合、一括的にレイアウトしてもみやすくする。リファレンスプリント、ＰＯＤなどで応用できる。【解決手段】与えられた検索情報によって情報記憶手段から該検索情報に関連する情報を検索し、該情報を出力手段で複数個出力する情報検索出力方法において、隣接する情報の中の文字の形態を異ならせるようにして前記情報を出力手段で出力することを特徴とする情報検索出力方法。【選択図】        図１
2004355509.tif 000002
【特許請求の範囲】
【請求項１】
与えられた検索情報によって情報記憶手段から該検索情報に関連する情報を検索し、該情報を出力手段で複数個出力する情報検索出力方法において、
隣接する情報の中の文字の形態を異ならせるようにして前記情報を出力手段で出力することを特徴とする情報検索出力方法。
【請求項２】
前記情報記憶手段は、インターネットのホームページを記憶するサーバコンピュータであるところの請求項１記載の情報検索出力方法。
【請求項３】
前記文字の形態は、フォントであるところの請求項１記載の情報検索出力方法。
【請求項４】
前記文字の形態は、文字色であるところの請求項１記載の情報検索出力方法。
【請求項５】
情報記憶手段は、登録情報記憶手段と実情報記憶手段からなり、登録情報は実情報をリンクするリンク情報を含むように構成され、与えられた検索情報によって前記登録情報記憶手段により該検索情報に関連した登録情報を求め、該登録情報の中のリンク情報が指す実情報の有無をチェックして実情報が存在する登録情報だけを出力手段で複数個出力する情報検索出力方法。
【請求項６】
前記情報検索出力方法において、隣接する情報の中の文字の形態を異ならせるようにして前記情報を出力手段で出力することを特徴とする請求項５記載の情報検索出力方法。
【請求項７】
情報記憶手段と、与えられた検索情報によって該情報記憶手段から関連する情報を検索する検索手段と、該情報を出力する出力手段からなる情報検索出力システムにおいて、
隣接する情報の中の文字の形態をことならせるようにして前記情報を出力することを特徴とする情報検索出力システム。
【請求項８】
請求項１に対応するコンピュータプログラム。
【請求項９】
請求項１に対応する記憶媒体。
【請求項１０】
請求項５記載に対応した情報検索出力システム。
【請求項１１】
請求項５記載に対応したコンピュータプログラム。
【請求項１２】
請求項５記載に対応した記憶媒体。
【発明の詳細な説明】
【０００１】
【発明の属する技術分野】
近年はインターネットの普及により、各社ポータルサイトの検索エンジンを使って、気楽に情報を検索し出力（印刷など）することができる。本発明は、このような場面に役立つ情報検索出力方法（印刷など）である。
【０００２】
【従来の技術】
従来、インターネットによりＹａｈｏｏなどのポータルサイトの検索エンジンを使って、情報検索を行うことができた。（例えば、特許文献１参照）利用者は、キーワードを入力し「検索ボタン」をクリックすることで、Ｙａｈｏｏ検索エンジンがホームページを登録してあるデータベースを検索し、キーワードにマッチするホームページを複数個みつけ、それらのＵＲＬ情報と概略の説明文が書かれた検索結果を利用者の端末の表示器に表示せしめる。利用者は、複数個表示されているホームページの情報からみたいものを選択し、そのＵＲＬリンクをマウスでクリックすることで、ハイパーリンク機能を使ってそのホームページに飛んでいき、該ホームページを表示器に表示せしめ、閲覧する。
【０００３】
そのホームページが探している情報を含んでいない場合には、また検索結果のページへ、Ｗｅｂブラウザの戻るボタンで戻って、別のホームページを選択しそれを表示しみることになる。利用者は、検索結果の表示⇒ホームページの選択⇒ホームページの閲覧を繰り返し、求めている情報をもっともよく含んでいるホームページを検索結果の中から探すことになる。
【０００４】
【特許文献１】
特開平１０−１５４１５２号公報
【０００５】
【発明が解決しようとする課題】
しかしながら、上記従来の情報検索のやりかたであると、検索エンジンでみつかったホームページを１つ１つ順番にみていくということになり、すべての検索結果を網羅的に読もうとする目的には作業能率的にはあまりいいものではない。とりわけ、検索結果のホームページが検索時点において存在するとは限らず、ＵＲＬリンクをクリックしても「該当するページがありません。」というメッセージが表示され、落胆することがよくあった。
【０００６】
本発明では、検索結果を網羅的に読むために便利なように検索結果の情報出力をみやすくするためのものである。
【０００７】
【課題を解決するための手段】
与えられた検索情報によって情報記憶手段から関連する情報を検索する工程と、該情報を出力手段で複数個出力する工程とからなる情報検索出力方法。
【０００８】
また、情報記憶手段は、登録情報記憶手段と実情報記憶手段からなり、登録情報は実情報をリンクするリンク情報を含むように構成されるところの情報検索出力方法。
【０００９】
（作用）
上記情報検索出力方法において、隣接する情報の中の文字の形態を異ならせるようにして前記情報を出力手段で出力することを特徴とする情報検索出力方法。
【００１０】
また、与えられた検索情報によって前記登録情報記憶手段により該検索情報に関連した登録情報を求め、該登録情報の中のリンク情報が指す実情報の有無をチェックして実情報が存在する登録情報だけを出力手段で複数個出力する情報検索出力方法。
【００１１】
【発明の実施の形態】
［第１の実施の形態］
本発明は、インターネット上のホームページを検索し結果を出力するシステムの例である。
【００１２】
図１は、本実施例のフローチャートである。図２は本実施例のブロック図であり、２０１は登録情報記憶手段、２０２は検索手段、２０３はフォント設定手段、２０４は印刷手段、２０５は実情報記憶手段、２０６は第１のファイル、２０７は第２のファイル、２０８は検索結果リストを表す。
【００１３】
また、図３は本実施例のハードウェア構成図であって、３０１はバス、３０２ＣＰＵ、３０３はＲＯＭ、３０４はＲＡＭ、３０５はハードディスク装置、３０６はディスプレイアダプタ、３０７はモニタ、３０８はプリンタポート、３０９はプリンタ、３１０はネットワークアダプタであってこれを通じて外部インターネットと接続されている。なお、ポインティングデバイスやキーボードは省略されている。
【００１４】
２０１の登録情報記憶手段は３０５のハードディスク装置内にあり、２０２の検索手段と２０３のフォント設定手段はプログラムコードとして３０５のハードディスク装置内に格納されている。２０４の印刷手段は３０５内に格納されている印刷プログラムと３０９のプリンタから構成される。２０５の記憶手段はインターネット上にあるＷｅｂサーバであり、そのＷｅｂサーバ上に実情報であるところのホームページが記憶されている。
【００１５】
図４は、登録情報を説明する図であって、ホームページのタイトル、概略の説明文、ＵＲＬ（Ｕｎｉｆｏｒｍ  Ｒｅｓｏｕｒｃｅ  Ｌｏｃａｔｏｒ）が含まれる。各データのサイズは適当な大きさに制限される。登録情報は、適当な登録手段によってあらかじめ作成されていて、インデックス構造などによりデータベースの形態になっていて、キーワードが与えられると、そのキーワードをタイトルや説明文に含む登録情報のアドレスを２０２の検索手段によって取り出すことができるようになっている。
【００１６】
以下、図１にしたがって説明する。ステップ１０１では、キーボードから入力された検索キーワードを含む登録情報を検索手段２０２により登録情報記憶手段２０１の中から探し出し、その検索結果として登録情報のアドレスリストを求める。アドレスリストは、例えば、配列Ａ［ｉ］（ｉ＝１，２，３．．．Ｎ）であって、Ａ［ｉ］は図４の形式のデータへのポインタとなっている。ステップ１０２で、カウンタｉ，ｊを０に初期化する。次にステップ１０３では、すべての検索結果についての処理が終了したかどうか、つまりｉ＜Ｎかどうかを判定する。終了していなければ、ステップ１０４にいき、Ａ［ｉ］のＵＲＬに対応するホームページをＨＴＴＰプロトコルによってネットワークアダプタ３１０を通じて、ロードする。その結果、ホームページが実際に存在するかどうかが判明する。もし、Ａ［ｉ］のＵＲＬに対応するホームページが存在しなければ、ｉ←ｉ＋１として、ステップ１０３に戻る。１０４においてもしホームページが存在すれば該ホームページをインターネットからダウンロードして２０６のファイル１として、３０５のハードディスクに一時記憶する。次にステップ１０６にいき、ｊ←ｊ＋１とする。そして、１０７へいき、ｊが偶数か奇数かを判定する。もし、ｊが偶数であれば１０８へいきフォント設定１を行い、もしｊが奇数ならば１１３へいきフォント設定２を行う。図５は、ファイル１のＨＴＭＬ形式のソースコードをそのまま表示したものである。図６はフォント設定１を行った結果のソースコードであり、フォント設定１では、６０１、６０２のフォントタグを挿入し、フォントフェイスをｓｅｒｉｆすなわち明朝体とし、色を色コード♯００００５Ｅにしている。また図７は、フォント設定２を行った結果のソースコードであり、フォント設定２では７０１、７０２のフォントタグを挿入し、フォントフェイスをｓａｎｓ−ｓｅｒｉｆすなわちゴシック体にし、色を色コード♯００９３００にしている。次に１０９にいき、フォント設定を行った結果の図６ないし、図７のファイルを２０７のファイル２として３０５のハードディスク３０５に一時記憶する。そして、１１０でｉ←ｉ＋１として１０３に戻る。ステップ１０３ですべての検索結果について１０４以降の処理が終了したならばステップ１１１にいき、１０９で一時記憶して累積された複数のファイル２を連続して印刷する。その際、各ファイル２の区切りで改ページすることなく連続して印刷を行って終了する。
【００１７】
ここで、各ファイル２の区切りで改ページしなくても、１ファイルおきにフォントの形態が行っているので、各ホームページのしきりがわかりやすくなっていることになる。
【００１８】
ここで、もともとファイル１にはフォントタグが利用されている場合には、フォント設定で挿入したフォントタグが効果をなさないことも考えられる。しかし、フォント設定で、フォントタグを挿入する前に、すべてのフォントタグを除去すれば、そのような心配がなくなり、つねに１ファイルおきに文字の形態を変化させることができる。
【００１９】
（他の実施例）
前記実施例では、検索結果の出力を印刷（ステップ１１１）にしたのであるが、印刷でなくても検索結果の出力をモニタへの表示にしても同様の効果を期待できる。
【００２０】
【発明の効果】
本発明によれば、検索結果の複数のファイルを出力媒体に改ページすることなく連続して出力でき、かつ各ファイルの境目をわかりやすくしているので、メディアの無駄な使用がなくなり、かつ一覧性にすぐれた検索結果の表示が可能となる。
【図面の簡単な説明】
【図１】第１の実施例のフローチャート
【図２】第１の実施例のブロック図
【図３】第１の実施例のハードウェア構成図
【図４】登録情報のデータ形式
【図５】検索結果のファイル
【図６】フォント設定１をしたファイル
【図７】フォント設定２をしたファイル
【図１】
2004355509.tif 000003
【図２】
2004355509.tif 000004
【図３】
2004355509.tif 000005
【図４】
2004355509.tif 000006
【図５】
2004355509.tif 000007
【図６】
2004355509.tif 000008
【図７】
2004355509.tif 000009